(57)【要約】【課題】同日内に日付変更処理を複数回行ったり、一度も行わないことを防止したタイムレコーダの提示。【解決手段】タイムレコーダ１は、標準的な時刻情報を受信する受信処理が実行される場合に、受信した標準的な時刻情報によって、タイムレコーダ自身の備える内蔵時計機能の時刻情報を修正する内蔵時刻修正処理を実行するものであり、少なくとも内蔵時刻修正処理を、日付変更処理が含まれる一定の時間帯を回避して行う。【選択図】  図１
2004164031.tif 000002
【特許請求の範囲】
【請求項１】
毎日所定の時刻にタイムカードへの印字日を変更する日付変更処理と、印字日変更チェック手段とを備え、前記日付変更処理が同日内に複数回行われたり、同日内に一度も行われないことを、前記印字日変更チェック手段によって回避する印字日変更チェック機能を有することを特徴とするタイムレコーダ。
【請求項２】
請求項１のタイムレコーダであって、
前記タイムレコーダは、時刻情報を受信する受信処理が実行された後に、該受信した時刻情報によって、タイムレコーダ自身の備える内蔵時計機能の時刻情報を修正する内蔵時刻修正処理を実行するものであり、
前記印字日変更チェック機能は、少なくとも前記内蔵時刻修正処理を、前記日付変更処理が含まれる一定の時間帯を回避して行うことにより、達成されることを特徴とするタイムレコーダ。
【請求項３】
請求項１，請求項２の何れかに記載のタイムレコーダであって、該タイムレコーダは、前記受信処理を強制的に実行する強制受信機能を備え、前記印字日変更チェック機能は、前記日付変更処理が含まれる一定の時間帯を回避して前記強制受信機能を行うことにより、達成されることを特徴とするタイムレコーダ。
【発明の詳細な説明】
【０００１】
【発明の属する技術分野】
本発明は、時刻情報を受信する受信機能を備えたタイムレコーダに関する。
【０００２】
【従来の技術】
従来、タイムレコーダに標準電波の受信機能を備えたものとしては、出願人の出願にかかる特開２００２−８０７９号公報記載の「タイムレコーダ」、特開２００１−３５７４２５号公報記載の「タイムレコーダ」が開示されている。
【０００３】
特開２００２−８０７９号のタイムレコーダは、タイムレコーダに電波時計を内蔵し、標準時刻電波により時刻を自動修正するように構成するとともに受信時間設定機能を設けるものであり、受信時刻が設定されている場合は、設定時刻に受信モードに入って自動的に現在時刻を修正する。受信時刻を深夜や早朝等に設定することにより、勤務時間内に電波時計が受信動作にはいることなく、実際の勤務時間とタイムレコーダ上の勤務時間データとに差が生じることを防止するものである。（例えば特許文献１参照）
【０００４】
特開２００１−３５７４２５号のタイムレコーダは、タイムレコーダに電波時計を内蔵し、標準電波により時刻を自動修正するように構成するものであり、標準時刻電波の受信成功時刻を記憶し、次回からは前回の受信成功時刻に標準時刻電波受信動作を行う受信スケジュール手段を設け、受信を期待できない時間帯に受信動作を実行する無駄を省くものである。（例えば特許文献２参照）
【０００５】
【特許文献１】
特開２００２−８０７９号公報  （００１２、００１３段落）
【特許文献２】
特開２００２−３５７４２５号公報  （００１２、００１３段落）
【０００６】
【発明が解決しようとする課題】
ところで、標準電波は標準時刻データが１分間で構成されているので、適正な標準時刻データを取得するには、少なくとも２分〜３分の受信間隔が必要である。
【０００７】
ところで、従来のタイムレコーダの場合、タイムカード挿入時、駆動モータで最下段まで引き込み、当日印字行が印字ヘッドと対向する位置までタイムカードを戻すようにドライバーにより駆動モーターを駆動する。そのため、毎日定刻に１日分だけ上昇させ、印字ヘッドが印字する高さにタイムカードの日にち欄を合わせる日付変更処理を行う必要がある。
【０００８】
また、タイムレコーダによっては、従業員の労働時間の計算機能を月毎に行う機能を備えたものもあり、例えば、毎月の１日に当該従業員の月間労働時間を計算する場合は、この月間労働時間の計算のための締め日処理は、毎月１日の日付変更処理時刻を基準として行われる。
【０００９】
更に、この月間労働時間は通常連続する２月分をデータとして収集し、一ヶ月の締め日に二ヶ月前のデータを消去し、新しい月のデータ記入欄を設定するようになっている。
【００１０】
そのため、締め日処理をＡＭ３：００に設定している場合に、タイムレコーダの内蔵時計の時刻がＡＭ３：０１となっていると、１回の締め日処理が既に行われているため、標準時刻ＡＭ３：００を受信して内蔵時計の補正をしてしまうと、同日の非常に近接した時間にも拘わらず、再び締め日が到来してしまい、締め日処理が行われて、実際は一月前の月間労働時間データが消去されてしまうという問題がある。
【００１１】
また、タイムレコーダの内蔵時計の時刻がＡＭ２：５９となっているときに、標準時刻ＡＭ３：０１を受信して内蔵時計の補正をしてしまうと、締め日処理時間であるＡＭ３：００が飛ばされて、締め日が到来しないことになり、締め日処理が行われず、実際は一月前の月間労働時間データの上に上書きされてしまうという問題もある。
【００１２】
更に、標準時刻データを受信するために、強制的に標準電波を受信する強制受信機能を有する場合においても、強制受信機能を実行する時間が上述のようなＡＭ３：００前後において行われると、同様な問題が発生する。
【００１３】
本発明は、このような問題に着目してなされたものであり、日付変更処理を行う場合に、締め日処理が同日に複数回行われたり、全く行われなかったりすることを防止することを目的とする。
【００１４】
【課題を解決するための手段】
上記課題を解決するために、本願の第１のタイムレコーダは、毎日所定の時刻にタイムカードへの印字日を変更する日付変更処理と、印字日変更チェック手段とを備え、前記日付変更処理が同日内に複数回行われたり、同日内に一度も行われないことを、前記印字日変更チェック手段によって回避する印字日変更チェック機能を有することを特徴とする。
【００１５】
本願の第２のタイムレコーダは、第１のタイムレコーダであって、前記タイムレコーダは、時刻情報を受信する受信処理が実行された後に、該受信した時刻情報によって、タイムレコーダ自身の備える内蔵時計機能の時刻情報を修正する内蔵時刻修正処理を実行するものであり、前記印字日変更チェック機能は、少なくとも前記内蔵時刻修正処理を、前記日付変更処理が含まれる一定の時間帯を回避して行うことにより、達成されることを特徴とする。
【００１６】
本願の第３のタイムレコーダは、請求項１，請求項２の何れかのタイムレコーダであって、該タイムレコーダは、前記受信処理を強制的に実行する強制受信機能を備え、前記印字日変更チェック機能は、前記日付変更処理が含まれる一定の時間帯を回避して前記強制受信機能を行うことにより、達成されることを特徴とする。
【００１７】
【発明の実施の形態】
以下、本発明の実施の形態にかかるタイムレコーダを図面に基づいて説明する。
【００１８】
図１、図２において、１はタイムレコーダであり、このタイムレコーダ１はタイムレコーダ本体２と電波受信ユニット２０とを備えている。
【００１９】
タイムレコーダ本体２の上面にはタイムカード（図示せず）を挿入するカード挿入口３が設けられている。タイムレコーダ本体２の前面の上部には時刻などを表示する表示部（表示手段）４が設けられている。
【００２０】
また、タイムレコーダ本体２の背板５には、電波受信ユニット２０を着脱自在に装着するホルダ１０が取り付けられている。電波受信ユニット２０は、標準電波（時刻信号を有する電波）を受信するアンテナ２１と、このアンテナ２１が受信した標準電波から時刻データを検波する時刻電波受信回路２２等とを備えている。アンテナ２１は筺体に取り付けられており、この筐体内に時刻電波受信回路２２が設けられている。
【００２１】
タイムレコーダ本体２内には、カード挿入口３に挿入されたタイムカード（図示せず）を検知するカードセンサ３１と、カード挿入口３に挿入されたタイムカードを引き込み、所定位置まで戻す駆動モータ３２と、この駆動モータ３２によって所定位置まで戻されたタイムカードに時刻を印字する印字ヘッド３３と、この印字ヘッド３３を駆動させるドライバ回路３４と、駆動モータ３２を駆動させるドライバ回路３５と、印字制御や時刻表示制御や時間管理或いは受信管理等を行うためのプログラム並びに表示のための文字データ等を格納するＲＯＭ３６と、起動時にＲＯＭ３６から読み込んだプログラムや時刻データ並びに処理の際のパラメータ等を格納するためのＲＡＭ３７と、時刻を刻む時計回路３８と、標準電波に含まれる標準時刻データに基づいて時計回路３８の時刻を表示部４に表示したり、印字制御等を行うための制御装置３９と、時刻電波受信回路２２や時計回路３８或いはドライバ３４，３５やカードセンサ３１等に電力を供給する電源回路４０、内蔵時計の修正を行うために受信機能を起動する強制受信手段としてのアジャスタボタン４１等が設けられている。
【００２２】
尚、時計回路３８は制御装置３９のマイクロコンピュータの時計機能で構成しても良い。
【００２３】
制御装置３９は、マイクロコンピュータ及び周辺回路から構成され、印字制御機能、表示機能、時間管理機能、受信処理機能とを有している。
【００２４】
電源回路４０は図示しない電源トランスを有している。アジャスタボタン４１はタイムレコーダ１の筐体に設けられており、アジャスタボタン４１を押すことにより標準電波を受信する受信処理プログラムを起動させる。
【００２５】
電波受信ユニット２０の時刻電波受信回路２２とタイムレコーダ本体２の制御装置３９とは図示しないケーブルによって接続されており、時刻電波受信回路２２の検波した時刻データがケーブルを介して制御装置３９に入力するようになっている。
【００２６】
制御装置３９の印字制御機能は、ＲＯＭ３６に記録された印字制御プログラムにより実行され、印字制御プログラムは、差し込まれたタイムカードの適正な行（通常は日を表す）に印字するために、タイムカード挿入時、駆動モータ３２で最下段までタイムカードを引き込み、その後、当日印字行が印字ヘッド３３と対向する位置までタイムカードを戻すように、ドライバ３５と駆動モータ３２を駆動する。このように印字制御プログラムは、挿入されたタイムカードの所定の列に時刻を印字する印字制御を行う。
【００２７】
また、このタイムカードの列への時刻の印字制御において、カードセンサ３１のタイムカード検出信号に基づいて、制御回路３９の印字制御プログラムは、タイムカードの挿入が適正であったかどうかを判定する。タイムカードの挿入が適正であった場合には、タイムカードの左右側縁部に開口された個人識別用の穴を検出して個人識別データのＩＤを読み取る。次に、ドライバ回路３５により印字ヘッドをタイムカードの左から何列目かに定められた列（この列はその日のタイムカードの挿入回数により右側に移動する）に位置するように移動させる。
【００２８】
印字ヘッド３３をタイムカードの所定の列に移動して停止させたら、時計回路３８から内蔵時計データを読み込んでドライバー回路３４による印字ヘッド３３の制御を行い、タイムカードに時刻を印字する。
【００２９】
時刻表示プログラムは、時間やタイムカードの挿入エラー等を表示する表示機能を有する。また、時刻表示プログラムは、通常時は時計回路３８の保有する日時を表示するとともに、タイムカードの挿入が不適正であった場合には、表示部４にエラー表示を行う表示機能を有する。
【００３０】
時間管理プログラムは、タイムカードのＩＤを持つ労働時間記憶領域ＲＡＭ３７に、タイムカードの挿入回数、挿入時刻を記憶させる。
【００３１】
受信処理プログラムは、制御装置３９が備える内蔵時計機能（この実施の形態では時計回路３８）の保有するタイムレコーダ１の時刻を読み出して表示部４に表示する表示機能と、標準電波から標準時刻データを読み取ってタイムレコーダ１の内蔵時計の時刻データを標準時刻データに書き換える標準電波の受信管理機能を有する。
【００３２】
受信処理プログラムは、内蔵時刻修正処理禁止時間に入らないときに、標準電波の受信と内蔵時計の較正を通常自動的に行い、また、アジャスタボタン４１が押されたときに、起動されて内蔵時刻修正処理禁止時間でないときに、標準電波の受信と内蔵時計の較正を行う。
【００３３】
受信処理プログラムが起動すると、時刻電波受信回路２２は受信した標準電波から標準時刻データを読み取って波形整形した後、制御回路３９に送信する。
【００３４】
制御回路３９は内蔵時刻データを標準時刻データに書き換え、日付が変わるときには日付変更処理を行い、月の初めの日の日付変更処理の場合には、時間管理プログラムを起動させて従業員の月間労働時間の計算処理を行う締め日処理を行わせる。
【００３５】
受信処理プログラムが受信処理や内蔵時刻修正処理を行う場合には、タイムカードへの時刻記録処理や、日付変更処理時刻を含む一定の時間帯（日付変更処理時刻の３０分前から３０分経過後の間）を回避する。日付変更処理時刻は通常ＡＭ３：００等の従業員の出勤・退勤の少ない時刻に設定されている。日付変更処理禁止時間帯は内蔵時刻修正処理時刻ＡＭ３：００の前後３０分に設定されている。
【００３６】
以下、受信処理プログラムが日付変更処理時刻の一定の時間帯を回避して受信処理等を行う印字日変更チェック機能を図３に基づいて説明する。
【００３７】
印字日変更チェック機能では、先ず、制御回路３９が時計の歩進を行っている状態で、アジャスタボタン４１のオンオフを監視しており（ステップ１０１）、アジャスタボタン４１がオンになっているときは、内蔵時計の時刻が内蔵時刻修正処理禁止時間帯（日付変更処理が含まれる一定の時間帯）かどうかを判断する（ステップ１０４）。
【００３８】
この判断で内蔵時刻修正処理禁止時間帯に該当するときには、表示部４にエラー表示（ステップ１０５）を行い、標準電波の受信を禁止する。ステップ１０４の判断で内蔵時計の時刻が内蔵時刻修正処理禁止時間帯に該当しなければ、ステップ１０３に移行して電波の受信と内蔵時計の修正（内蔵時刻修正処理の実行）を行う。
【００３９】
ステップ１０１の判断において、アジャスタボタン４１が押されていない場合は、ステップ１０２の判断に移行し、内蔵時計の時刻が内蔵時刻修正処理禁止時間帯に該当するかどうかを判断する。このステップ１０２の判断において、内蔵時刻修正処理禁止時間帯に該当すれば、ステップ１０１の前の工程に入る。ステップ１０２の判断において、内蔵時刻修正処理禁止時間帯に該当しなければ、ステップ１０３に移行して電波の受信と内蔵時計の修正（較正）を行う。
【００４０】
なお、アジャスタボタン４１が押された時刻が内蔵時刻修正処理禁止時間帯に該当する場合でも、標準電波の受信のみを行って内蔵時計の較正を内蔵時刻修正処理禁止時間帯から外れた時刻に行っても良い。
【００４１】
このタイムレコーダ１は、標準的な時刻情報を受信する受信処理が実行される場合に、受信した標準的な時刻情報によって、タイムレコーダ自身の備える内蔵時計機能の時刻情報を修正する内蔵時刻修正処理を実行するものであり、少なくとも内蔵時刻修正処理を、日付変更処理が含まれる一定の時間帯を回避して行うので、日付変更処理が同日内に複数回行われたり、同日内に一度も行われないことを回避することができる。
【００４２】
また、受信処理プログラムの印字日変更チェック機能は、日付変更処理が含まれる一定の時間帯を回避して強制受信するように制御するので、日付変更処理が同日内に複数回行われたり、同日内に一度も行われないことを回避することができる。
【００４３】
尚、時刻修正の一つの手段として正しい時刻信号を載せた標準電波を受信することにより時刻修正を行う例を挙げて説明したが、これに限定されることなく、この発明の技術的範囲内において種々の改変が可能であって、この発明がそれらの改変されたものに及ぶことは当然である。
【００４４】
【発明の効果】
本願の第１のタイムレコーダによれば、印字日変更チェック機能を有するので、同日に複数回日付変更処理が行われたり、全く行われないことを防止できる。
【００４５】
本願の第２のタイムレコーダによれば、日付変更処理が含まれる一定の時間帯を回避して、少なくとも内蔵時刻修正処理を行うので、同日内の複数の日付変更処理を行ったり、全く行われないことを防止できる。
【００４６】
本願の第３のタイムレコーダによれば、強制受信機能を行う場合であっても、日付変更処理を行う所定の時間帯を回避するので、同日内の複数の日付変更処理を行ったり、全く行われないことを防止できる。
【図面の簡単な説明】
【図１】本発明の実施の形態にかかるタイムレコーダの斜視図である。
【図２】本発明の実施の形態にかかるタイムレコーダのブロック図である。
【図３】本発明の実施の形態にかかるタイムレコーダの印字日変更チェック機能の実行時の流れ図である。
【符号の説明】
１  タイムレコーダ
２  タイムコーダ本体
３  カード挿入口
４  表示部
２０  電波受信ユニット
２１  アンテナ
２２  時刻電波受信回路
３１  カードセンサ
３６  ＲＯＭ
３７  ＲＡＭ
３８  時計回路
３９  制御装置
４０  電源回路
４１  アジャスタボタン
【図１】
2004164031.tif 000003
【図２】
2004164031.tif 000004
【図３】
2004164031.tif 000005